(57)【要約】    【課題】  インサート筋等との位置合わせが容易なスパイラル筋を提供すること。    【解決手段】  両端部に、その間の部分３の径Ｄよりも小径である径ｄを有する鉤状部２Ａ、２Ｂが形成されたスパイラル筋１とする。鉤状部２Ａ等はスパイラル筋１全体と概略同軸となるように形成される。鉤状部２Ａ等は、嵌裝対象のインサート筋等に嵌め込まれて、位置合わせと固定が同時にかつ容易になされる。図ではスパイラル筋の断面形状は円だが、本発明は角形のものにも同様に適用できる。【選択図】  図１−３
2008150916.tif 000002
【特許請求の範囲】
【請求項１】
スパイラル筋の少なくとも一方端部は、該スパイラル筋の径よりも小径の鉤状部をなすよう形成されており、これにより該スパイラル筋との間で嵌裝状態が形成される対象物に対する位置決めが容易であることを特徴とする、スパイラル筋。
【請求項２】
前記鉤状部の内径は、その嵌裝状態形成の対象物の外径に適合してこれに嵌め込めるものであることを特徴とする、請求項１に記載のスパイラル筋。
【請求項３】
前記鉤状部が両端部に形成されていることを特徴とする、請求項１または２に記載のスパイラル筋。
【請求項４】
前記鉤状部は、前記スパイラル筋と概略同軸に設けられていることを特徴とする、請求項１ないし３のいずれかに記載のスパイラル筋。
【発明の詳細な説明】
【技術分野】
【０００１】
本発明は、鉄筋コンクリート造または鉄骨鉄筋コンクリート造の構築物における柱、梁、基礎杭等の構築に際し、それらを構成する主筋の補強筋として用いることのできるスパイラル筋に係り、特に、インサート筋、その他の筋、パイプなど嵌裝状態形成対象の部材との位置合わせが容易かつ確実に行える構造を備えた、新規なるスパイラル筋に関するものである。
【背景技術】
【０００２】
図３−１は、従来のスパイラル筋の基礎的な構造を示す斜視図である。また同じく、
図３−２は、軸方向端面図、
図３−３は側面図である。これらに図示されるようにスパイラル筋は、鉄筋が同一径の螺旋状に連続的に形成されてなるものである。スパイラル筋はインサート筋など主筋に対して中心位置を合わせて配され、別途用いられるワイヤー等の締結具その他を用いてこれに固定されることにより、嵌裝状態が完成される。
【０００３】
さて、スパイラル筋についても様々な提案が従来なされている。たとえば下記のような条件で検索を試みると、後掲特許文献に掲げるものなど相当数の技術の存在が確認される。
【０００４】
使用データベース：ＰＡＴＯＬＩＳ（（株）パトリス）
検索条件：ＦＫ＝（スパイラル？＋螺旋？）  ＡＮＤ  ＦＫ＝（？筋＋筋？）  ＡＮＤ  ＦＫ＝（端？＋軸？＋中心？＋センタ−？）
ＡＮＤ  ＦＩ＝（Ｅ０４Ｃ５／１８？＋Ｅ０４Ｇ２１／１２？）
対象法域：特許、実用新案
検索結果：１１７件
【０００５】
【特許文献１】特開平０７−１３９１７４「スプリングスパイラル筋と、その配筋方法及び配筋構造」
【特許文献２】特開昭５３−１２３５２１「コンクリ−ト構造物用スパイラルフ−プ筋の施工法」
【発明の開示】
【発明が解決しようとする課題】
【０００６】
しかし、スパイラル筋をインサート筋などの主筋に嵌裝する場合、中心位置を合わせてその相対位置関係を決めた上で、さらに別途の締結具等を用いた固定を行うことは作業が煩雑である上、位置合わせのばらつきが生じる可能性が高く、問題であった。かかる問題に対する解決策の提案は、上記各特許文献開示技術を含め、従来なされていない。
【０００７】
本発明が解決しようとする課題は、上記従来技術の問題点を除き、インサート筋など嵌裝状態形成対象の筋やその他の部材との位置合わせが容易であり、また確実に行うことができ、位置合わせのばらつき発生も防止することのできるスパイラル筋を提供することである。
【課題を解決するための手段】
【０００８】
本願発明者は上記課題について検討した結果、スパイラル筋の端部の形状を工夫することによって上記課題の解決が可能であることを見出し、本発明に至った。すなわち、上記課題を解決するための手段として本願で特許請求される発明、もしくは少なくとも開示される発明は、以下の通りである。
【０００９】
（１）  スパイラル筋の少なくとも一方端部は、該スパイラル筋の径よりも小径の鉤状部をなすよう形成されており、これにより該スパイラル筋との間で嵌裝状態が形成される対象物に対する位置決めが容易であることを特徴とする、スパイラル筋。
（２）  前記鉤状部の内径は、その嵌裝状態形成の対象物の外径に適合してこれに嵌め込めるものであることを特徴とする、（１）に記載のスパイラル筋。
（３）  前記鉤状部が両端部に形成されていることを特徴とする、（１）または（２）に記載のスパイラル筋。
（４）  前記鉤状部は、前記スパイラル筋と概略同軸に設けられていることを特徴とする、（１）ないし（３）のいずれかに記載のスパイラル筋。
【発明の効果】
【００１０】
本発明のスパイラル筋は上述のように構成されるため、これによれば、インサート筋など嵌裝状態形成の対象となる筋、その他の部材等との位置合わせが容易であり、また、位置合わせを確実に行うことができ、さらに位置合わせのばらつき発生も防止することができる。嵌裝状態形成の対象となる対象物としては、筋の他、たとえばパイプなども該当する。要するに、補強の必要な長尺ものの構造は、広く本願にいう「対象物」に該当し、本発明スパイラル筋はこれら対象物の補強に際して、上述の効果を発揮するものである。
【発明を実施するための最良の形態】
【００１１】
以下、本発明を図面により詳細に説明する。
図１Ｐは、本発明のスパイラル筋の基礎的な構造を示す側面図である。図示するように本発明のスパイラル筋１は、その少なくとも一方の軸方向端部は、スパイラル筋１の両端部に挟まれた通常の部分３の径Ｄよりも小径である径ｄを有する鉤状部２Ａをなすよう形成されていることを、基本的な構成とする。つまり鉤状部は少なくとも、スパイラル筋１のいずれか一方の軸方向端部のみに設けられていればよいが、図１−１等の実施例に後述するように、両端部に設けられる場合も本発明の範囲内である。
【００１２】
かかる構成により本スパイラル筋１では、スパイラル筋１との間で嵌裝状態が形成される対象物に対する位置決めが容易となる。スパイラル筋１と対象物との間における位置決めおよび嵌裝状態の形成は、
＜１＞先にスパイラル筋１が固定されていて、これに対して鉄筋やパイプ等の対象物が後から挿入される際の位置決めと嵌裝状態形成
＜２＞先に鉄筋やパイプ等の対象物が固定されていて、これに対して本スパイラル筋１が適用される際の位置決めと嵌裝状態形成
の、いずれの方法にも適用できる。
【００１３】
本スパイラル筋１の鉤状部２Ａの内径ｄは特に、スパイラル筋との間で嵌裝状態が形成される対象物の外径に適合するように形成されるものとし、これとの間で相互に嵌め込み可能なものとすることもできる。かかる構成は、位置合わせの精度が重視される場合に特に有効である。
【００１４】
一方、スパイラル筋１の鉤状部２Ａの内径ｄと対象物の外径との間に遊びを設けることももちろん本発明の範囲内である。この場合は、位置合わせの精度もさることながら、作業効率、作業の迅速性がより重視される場合に特に有効である。
【００１５】
図１Ｐに示されるように、本発明のスパイラル筋１によれば、少なくとも一方端部に設けられた鈎状部２Ａが嵌裝対象物に嵌め込まれたりして嵌裝状態が形成されることにより、スパイラル筋１と対象物との間の位置決めと固定が、同時に、しかも容易かつ確実に行われる。
【００１６】
また、鉤状部２Ａの軸をスパイラル筋１全体の軸に対して一定の位置関係となるように一定の規格で形成することにより、スパイラル筋１をインサート筋等の対象物に嵌め込むなど嵌裝状態を形成した場合に、両者間の軸の位置関係が一定の嵌裝状態となり、ばらつきの発生を防止することができる。
【００１７】
図１−１は、本発明のスパイラル筋の実施例を示す斜視図である。また同じく、
図１−２は、軸方向端面図、
図１−３は側面図である。これらに図示されるように本実施例のスパイラル筋１は、前掲図１Ｐで示した鉤状部が、符号２Ａおよび２Ｂで示すように、両方の軸方向端部に設けられた構成である。
【００１８】
上述の通り、本スパイラル筋１の鉤状部２Ａ等の内径ｄは、嵌裝状態形成の対象物とする筋等の外径に適合するように形成されるものとし、これとの間で相互に嵌め込み可能なものとすることもできる。一方、スパイラル筋１の鉤状部２Ａの内径ｄと対象物の外径との間に遊びを設けることももちろん本発明の範囲内である。
【００１９】
図２−１は、図１−１等に示した本発明実施例のスパイラル筋をインサート筋に嵌裝した状態を示す斜視図である。また同じく、
図２−２は、軸方向端面図、
図２−３は側面図である。これらの図および前掲図１−１等に示されるように、上述の構成をとる本発明のスパイラル筋１によれば、少なくとも一方端部に設けられた鈎状部２Ａ（または２Ｂ）がインサート筋５などの嵌裝対象物に嵌め込まれる等して嵌裝状態形成が形成されることにより、スパイラル筋１と対象物（図ではインサート筋５）との間の位置決めと固定が、同時に、しかも容易かつ確実に行われる。
【００２０】
また、鉤状部２Ａの軸をスパイラル筋１全体の軸に対して一定の位置関係となるように一定の規格で形成することにより、スパイラル筋１をインサート筋５等に嵌め込む等して嵌裝状態形成が形成した場合に、両者間の軸の位置関係が一定の嵌裝状態となり、ばらつきの発生を防止することができる。
【００２１】
スパイラル筋１とインサート筋５等嵌裝状態形成の対象物の軸が、必ずしも同軸であるように本スパイラル筋１を形成する必要はなく、異なるように形成する場合も本発明の範囲内である。しかし、図１−１他に示すように、鉤状部２Ａ等は、スパイラル筋１全体と概略同軸Ｘ上に形成されるようにするものとしてもよい。かかる構成の方が、スパイラル筋として主筋その他対象物を補強するのには適している。
【００２２】
図１Ｐを用いた説明において述べたように、鉤状部２Ａ等をスパイラル筋１の一方端部のみに設ける場合も本発明の範囲内だが、図１−１以下の各図に示すようにスパイラル筋１の両方の端部に鉤状部２Ａ、２Ｂを設けることは、位置合わせと固定の安定性および精度の点でも、また作業性の点でも、さらに良好な結果を得ることができる。
【００２３】
なお、図１Ｐを用いた説明において述べたように、鉤状部２Ａ等をスパイラル筋１の一方端部のみに設ける場合、反対側端部の形状を如何なるものとするかについては、特に限定されない。したがって、何ら特徴的な形状を付加せずスパイラル筋１の通常の部分３と同様の形状としたものでもよいし、あるいはまた、必要に応じて適宜、通常の部分３とも鉤状部２Ａ等とも異なる形状としたものでもよい。
【００２４】
以上、図においては断面形状が円形のスパイラル筋の例により本発明を説明したが、本発明がこれに限定されるものではなく、断面が略四角形など他の形状であっても、断面形状の如何に関わらずスパイラル筋である限り、本発明の範囲内である。
【産業上の利用可能性】
【００２５】
本発明のスパイラル筋によれば、インサート筋など嵌裝状態形成対象の対象物との位置合わせが容易であり、また、位置合わせを確実に行うことができ、さらに位置合わせのばらつき発生も防止することができる。しかも本スパイラル筋は簡素な構成であり、その製造コストも低く抑制できるものであることも相俟って、特に建設業において利用価値が高い発明である。
【図面の簡単な説明】
【００２６】
【図１Ｐ】本発明のスパイラル筋の基礎的な構造を示す側面図である。
【図１−１】本発明のスパイラル筋の実施例を示す斜視図である。
【図１−２】本発明のスパイラル筋の実施例を示す軸方向端面図である。
【図１−３】本発明のスパイラル筋の実施例を示す側面図である。
【図２−１】本発明のスパイラル筋実施例をインサート筋に嵌裝した状態を示す斜視図である。
【図２−２】本発明のスパイラル筋実施例をインサート筋に嵌裝した状態を示す軸方向端面図である。
【図２−３】本発明のスパイラル筋実施例をインサート筋に嵌裝した状態を示す側面図である。
【図３−１】従来のスパイラル筋の基礎的な構造を示す斜視図である。
【図３−２】従来のスパイラル筋の基礎的な構造を示す軸方向端面図である。
【図３−３】従来のスパイラル筋の基礎的な構造を示す側面図である。
【符号の説明】
【００２７】
１…スパイラル筋
２Ａ、２Ｂ…鉤状部
３…スパイラル筋の通常の部分
５…インサート筋
Ｄ…スパイラル筋の通常の部分の径
ｄ…鉤状部の径
Ｘ…軸
【図１Ｐ】
2008150916.tif 000003
【図１−１】
2008150916.tif 000004
【図１−２】
2008150916.tif 000005
【図１−３】
2008150916.tif 000006
【図２−１】
2008150916.tif 000007
【図２−２】
2008150916.tif 000008
【図２−３】
2008150916.tif 000009
【図３−１】
2008150916.tif 000010
【図３−２】
2008150916.tif 000011
【図３−３】
2008150916.tif 000012